【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
製品の設計情報から製品の組立に必要な作業手順書をコンピュータの画面上で作成する作業手順書作成システムであって、
前記作業手順書のフォーマットを前記画面に表示するフォーマット表示部と、
作業手順、作業指示情報等をアイコン化して前記画面に表示する構成要素アイコン表示部と、
前記画面内に配置された前記作業手順を並び替えてツリー構造を構成する作業手順編集手段と、
アイコン化された前記作業手順を前記画面内に配置するとともに、前記画面内に配置された前記作業手順にアイコン化された作業指示文章又は作業指示図を関連付けする図形描画部と、
図形描画に必要な構成要素をアイコン化して前記画面に表示する図形描画アイコン表示部と、
製品を構成する部品を前記画面に表示する部品表示部と、を備え、
前記図形描画部は、前記画面内に配置された前記作業手順に前記部品表示部から抽出された部品を移動させて前記作業手順に関連づける
ことを特徴とする作業手順書作成システム。
【請求項２】
製品の組立に使用する治工具を前記画面に表示する治工具表示部を備え、
前記図形描画部は、前記画面内に配置された前記作業手順に前記治工具表示部から抽出された治工具を移動させて前記作業手順に関連付ける
ことを特徴とする請求項１に記載の作業手順書作成システム。
【請求項３】
前記部品表示部は、前記画面内に配置された前記作業手順との関連付けが行われた部品と関連付けが行われていない部品とを区別して表示する
ことを特徴とする請求項１又は２に記載の作業手順書作成システム。
【請求項４】
前記部品表示部により表示される部品が３次元ＣＡＤデータである
ことを特徴とする請求項１〜３のいずれかに記載の作業手順書作成システム。
【請求項５】
前記画面内に配置された前記作業手順に、該作業手順の実行に必要な作業時間を関連付ける手順属性編集部と、
前記画面内に配置された全ての作業手順に関連付けられた作業時間を積算し、製品の組立に必要な作業時間を計算する作業時間積算部と、を備える
ことを特徴とする請求項１に記載の作業手順書作成システム。
【請求項６】
作業の種別情報を表示する作業種別表示部を備え、
前記図形描画部は、前記作業種別表示部から特定の作業種別が選択された時にその作業種別に予め関連付けられた作業説明文を前記画面に表示する
ことを特徴とする請求項１に記載の作業手順書作成システム。
【請求項７】
作成された作業手順情報を構造化文書形式に変換する構造化文書変換部と、
前記構造化文書変換部によって構造化文書形式に変換された作業手順情報を電子ファイル形式で出力するファイル出力部と、を備える
ことを特徴とする請求項１に記載の作業手順書作成システム。
【請求項８】
製品の設計情報から製品の組立に必要な作業手順書をコンピュータの画面上で作成する機能をコンピュータに実現させる作業手順書作成プログラムであって、
前記作業手順書のフォーマットを前記画面に表示するフォーマット表示機能と、
作業手順、作業指示情報等をアイコン化して前記画面に表示する構成要素アイコン表示機能と、
前記画面内に配置された前記作業手順を並び替えてツリー構造を構成する作業手順編集機能と、
アイコン化された前記作業手順を前記画面内に配置するとともに、前記画面内に配置された前記作業手順にアイコン化された作業指示文章又は作業指示図を関連付けする図形描画機能と、
図形描画に必要な構成要素をアイコン化して前記画面に表示する図形描画アイコン機能と、
製品を構成する部品を前記画面に表示する部品表示機能と、
前記画面内に配置された前記作業手順に前記部品表示部から抽出された部品を移動させて前記作業手順に関連づける機能と、を有する
ことを特徴とする作業手順書作成プログラム。
【手続補正２】
【補正対象書類名】明細書
【補正対象項目名】発明の名称
【補正方法】変更
【補正の内容】
【発明の名称】作業手順書作成システム、及び、作業手順書作成プログラム
【手続補正３】
【補正対象書類名】明細書
【補正対象項目名】０００１
【補正方法】変更
【補正の内容】
【０００１】
本発明は、製品製造の作業手順書をコンピュータの画面上で簡単に作成できるようにする作業手順書作成システム及び作業手順書作成プログラムに関する。
【手続補正４】
【補正対象書類名】明細書
【補正対象項目名】０００５
【補正方法】変更
【補正の内容】
【０００５】
本発明は斯かる課題を解決するためになされたもので、ツリー構造を持つ製品の構成情報と工程情報の編集とを同時に行いながら効率的に作業手順書を作成可能な作業手順書作成システム及び作業手順書作成プログラムを提供することを目的とする。
【手続補正５】
【補正対象書類名】明細書
【補正対象項目名】０００６
【補正方法】変更
【補正の内容】
【０００６】
前記目的を達成するため、請求項１に係る発明は、
製品の設計情報から製品の組立に必要な作業手順書をコンピュータの画面上で作成する作業手順書作成システムであって、
前記作業手順書のフォーマットを前記画面に表示するフォーマット表示部と、
作業手順、作業指示情報等をアイコン化して前記画面に表示する構成要素アイコン表示部と、
前記画面内に配置された前記作業手順を並び替えてツリー構造を構成する作業手順編集手段と、
アイコン化された前記作業手順を前記画面内に配置するとともに、前記画面内に配置された前記作業手順にアイコン化された作業指示文章又は作業指示図を関連付けする図形描画部と、
図形描画に必要な構成要素をアイコン化して前記画面に表示する図形描画アイコン表示部と、
製品を構成する部品を前記画面に表示する部品表示部と、を備え、
前記図形描画部は、前記画面内に配置された前記作業手順に前記部品表示部から抽出された部品を移動させて前記作業手順に関連づける
ことを特徴とする。
【手続補正６】
【補正対象書類名】明細書
【補正対象項目名】０００７
【補正方法】変更
【補正の内容】
【０００７】
請求項２に係る発明は、請求項１に記載の作業手順書作成システムにおいて、
製品の組立に使用する治工具を前記画面に表示する治工具表示部を備え、
前記図形描画部は、前記画面内に配置された前記作業手順に前記治工具表示部から抽出された治工具を移動させて前記作業手順に関連付けることを特徴とする。
【手続補正７】
【補正対象書類名】明細書
【補正対象項目名】０００８
【補正方法】変更
【補正の内容】
【０００８】
請求項３に係る発明は、請求項１又は２に記載の作業手順書作成システムにおいて、
前記部品表示部は、前記画面内に配置された前記作業手順との関連付けが行われた部品と関連付けが行われていない部品とを区別して表示することを特徴とする。
【手続補正８】
【補正対象書類名】明細書
【補正対象項目名】０００９
【補正方法】変更
【補正の内容】
【０００９】
請求項４に係る発明は、請求項１〜３のいずれかに記載の作業手順書作成システムにおいて、
前記部品表示部により表示される部品が３次元ＣＡＤデータであることを特徴とする。
【手続補正９】
【補正対象書類名】明細書
【補正対象項目名】００１０
【補正方法】変更
【補正の内容】
【００１０】
請求項５に係る発明は、請求項１に記載の作業手順書作成システムにおいて、
前記画面内に配置された前記作業手順に、該作業手順の実行に必要な作業時間を関連付ける手順属性編集部と、
前記画面内に配置された全ての作業手順に関連付けられた作業時間を積算し、製品の組立に必要な作業時間を計算する作業時間積算部と、を備えることを特徴とする。
【手続補正１０】
【補正対象書類名】明細書
【補正対象項目名】００１１
【補正方法】変更
【補正の内容】
【００１１】
請求項６に係る発明は、請求項１に記載の作業手順書作成システムにおいて、
作業の種別情報を表示する作業種別表示部を備え、
前記図形描画部は、前記作業種別表示部から特定の作業種別が選択された時にその作業種別に予め関連付けられた作業説明文を前記画面に表示することを特徴とする。
【手続補正１１】
【補正対象書類名】明細書
【補正対象項目名】００１２
【補正方法】変更
【補正の内容】
【００１２】
請求項７に係る発明は、請求項１に記載の作業手順書作成システムにおいて、
作成された作業手順情報を構造化文書形式に変換する構造化文書変換部と、
前記構造化文書変換部によって構造化文書形式に変換された作業手順情報を電子ファ
イル形式で出力するファイル出力部と、を備えることを特徴とする。
前記目的を達成するため、請求項８に係る発明は、
製品の設計情報から製品の組立に必要な作業手順書をコンピュータの画面上で作成する機能をコンピュータに実現させる作業手順書作成プログラムであって、
前記作業手順書のフォーマットを前記画面に表示するフォーマット表示機能と、
作業手順、作業指示情報等をアイコン化して前記画面に表示する構成要素アイコン表示機能と、
前記画面内に配置された前記作業手順を並び替えてツリー構造を構成する作業手順編集機能と、
アイコン化された前記作業手順を前記画面内に配置するとともに、前記画面内に配置された前記作業手順にアイコン化された作業指示文章又は作業指示図を関連付けする図形描画機能と、
図形描画に必要な構成要素をアイコン化して前記画面に表示する図形描画アイコン機能と、
製品を構成する部品を前記画面に表示する部品表示機能と、
前記画面内に配置された前記作業手順に前記部品表示部から抽出された部品を移動させて前記作業手順に関連づける機能と、を有する
ことを特徴とする。
【手続補正１２】
【補正対象書類名】明細書
【補正対象項目名】００１３
【補正方法】変更
【補正の内容】
【００１３】
本発明によれば、コンピュータの画面内に配置された作業手順を並び替えてツリー構造を構成する作業手順編集手段と、画面内に配置された作業手順にアイコン化された作業指示文章又は作業指示図を関連付けする図形描画部等を備えることで、ツリー構造を持つ製品の構成情報と工程情報の編集とを同時に行いながら効率的に作業手順書を作成することができる。